(57)【要約】【課題】効果音のカスタマイズ性を向上させた商品価値の高い映像音声記録再生装置を提供することである。【解決手段】音声記録再生装置は、テレビ放送信号を受信するアンテナ１５と、アンテナ１５で受信したテレビ放送信号を復調するチューナ１６と、効果音を記憶するメモリ２３と、メモリ２３の効果音を出力する音声出力部２２と、記録媒体の記録再生を行う記録媒体記録再生部１８、１９と、各部を制御する制御部２６とを備え、効果音を生成する際は、記録媒体に録画されている番組を再生中に指示された開始点から終了点までの音声を切り出してメモリ２３に効果音データとして記憶し、効果音を設定する際は、各動作に対応して所望の効果音データを設定し、効果音を出力する際は、メモリ２３から動作に対応した効果音データを読み出して音声出力部２２から出力する構成とする。【選択図】図１
2007266807.tif 000002
【特許請求の範囲】
【請求項１】
テレビ放送信号を受信するアンテナと、該アンテナで受信したテレビ放送信号を復調するチューナと、効果音を記憶するメモリと、該メモリの効果音を出力する音声出力部と、記録媒体の記録再生を行う記録媒体記録再生部と、各部を制御する制御部とを備えた映像音声記録再生装置において、
効果音を生成する際は、記録媒体に録画されている番組を再生中に指示された開始点から終了点までの音声を切り出して前記メモリに効果音データとして記憶し、
効果音を設定する際は、各動作に対応して所望の効果音データを設定し、
効果音を出力する際は、前記メモリから動作に対応した効果音データを読み出して前記音声出力部から出力することを特徴とする映像音声記録再生装置。
【請求項２】
効果音を記憶するメモリと、該メモリの効果音を出力する音声出力部と、記録媒体の記録再生を行う記録媒体記録再生部と、各部を制御する制御部とを備えた映像音声記録再生装置において、
効果音を生成する際は、記録媒体に記録されている音声を任意に切り出して前記メモリに効果音データとして記憶し、
効果音を出力する際は、前記メモリから前記効果音データを読み出して前記音声出力部から出力することを特徴とする映像音声記録再生装置。
【請求項３】
前記記録媒体に記録されている音声を任意に切り出す際は、記録媒体を再生中に指示された開始点から終了点までの音声を切り出すことを特徴とする請求項２記載の映像音声記録再生装置。
【請求項４】
効果音を設定する際は、各動作に対応して所望の効果音データを設定し、
効果音を出力する際は、前記メモリから動作に対応した効果音データを読み出して前記音声出力部から出力することを特徴とする請求項２又は３記載の映像音声記録再生装置。
【発明の詳細な説明】
【技術分野】
【０００１】
本発明は、効果音を設定可能な映像音声記録再生装置に関する。
【背景技術】
【０００２】
家庭で番組の録画に用いられる映像音声記録再生装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置がある。従来より、映像音声記録再生装置は、商品価値を向上させるため日々様々な改良がなされており、その１つに効果音（起動時の音やキーの操作音や画面の切り替わりの音など）の改良がある。
【０００３】
例えば特許文献１には、デジタルカメラ等の撮像装置の操作音や起動音として音声を録音する様な場合に、簡単な操作で録音可能とする音声処理装置が開示されている。
【０００４】
また特許文献２には、効果音等をユーザが簡単な操作で自由に設定することができるオーディオ再生機器が開示されている。
【特許文献１】特開２００４−９６２２７号公報
【特許文献２】特開２００３−２８１８７０号公報
【発明の開示】
【発明が解決しようとする課題】
【０００５】
上記の特許文献１及び特許文献２には、効果音をユーザが所望する音に変更できることが開示されている。しかしながら、特許文献１では、マイクを通じて声を入力するなどして音声を録音する必要があるので音質が悪くなるという問題がある。
【０００６】
また特許文献２では、既に効果音が録音されたディスクから効果音をインストールしており、ここで用いるディスクは他の機器で録音したものであるので、本装置で所望の効果音を作製することができないという問題がある。
【０００７】
そこで、効果音をカスタマイズできる装置においては、より簡単に効果音を作製でき、音質もよいことが望まれる。
【０００８】
本発明は、効果音のカスタマイズ性を向上させた商品価値の高い映像音声記録再生装置を提供することを目的とする。
【課題を解決するための手段】
【０００９】
上記目的を達成するために本発明は、効果音を記憶するメモリと、該メモリの効果音を出力する音声出力部と、記録媒体の記録再生を行う記録媒体記録再生部と、各部を制御する制御部とを備えた映像音声記録再生装置において、
効果音を生成する際は、記録媒体に記録されている音声を任意に切り出して前記メモリに効果音データとして記憶し、
効果音を出力する際は、前記メモリから前記効果音データを読み出して前記音声出力部から出力することを特徴とする。
【００１０】
この構成によると、記録媒体に録画された番組から所望の音声を切り出して効果音として使用することができる。
【００１１】
上記の映像音声記録再生装置において、前記記録媒体に記録されている音声を任意に切り出す際は、記録媒体を再生中に指示された開始点から終了点までの音声を切り出す。
【００１２】
この構成によると、ユーザは番組の再生中に効果音として使いたい場面でリモコン等を操作して効果音の開始点と終了点とを指示することにより、簡単に所望の効果音が作製できる。
【００１３】
また上記の映像音声記録再生装置において、効果音を設定する際は、各動作に対応して所望の効果音データを設定し、効果音を出力する際は、前記メモリから動作に対応した効果音データを読み出して前記音声出力部から出力するようにしてもよい。
【００１４】
この構成によると、各動作に相応しい効果音をそれぞれ設定することができ、よりカスタマイズ性が向上する。
【００１５】
本発明を具体化すると、テレビ放送信号を受信するアンテナと、該アンテナで受信したテレビ放送信号を復調するチューナと、効果音を記憶するメモリと、該メモリの効果音を出力する音声出力部と、記録媒体の記録再生を行う記録媒体記録再生部と、各部を制御する制御部とを備えた映像音声記録再生装置において、
効果音を生成する際は、記録媒体に録画されている番組を再生中に指示された開始点から終了点までの音声を切り出して前記メモリに効果音データとして記憶し、
効果音を設定する際は、各動作に対応して所望の効果音データを設定し、
効果音を出力する際は、前記メモリから動作に対応した効果音データを読み出して前記音声出力部から出力する構成となる。
【発明の効果】
【００１６】
本発明によれば、記録媒体に録画した番組から所望の音声を効果音として切り出して使用することにより、効果音を音質を維持しながら簡単に作製できる。従って、効果音のカスタマイズ性を向上させた商品価値の高い映像音声記録再生装置を実現できる。
【発明を実施するための最良の形態】
【００１７】
以下、映像音声記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録再生装置に代表される外部装置１２とが接続されている。またＨＤＤ一体型光ディスク装置１０は、リモコン１３によって操作可能である。以下では、光ディスクとしてＤＶＤを例に説明する。
【００１８】
ＨＤＤ一体型光ディスク装置１０は、テレビ放送信号を受信するアンテナ１５と、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１９】
また、メモリ２３には、複数の効果音（起動時の音やキーの操作音や画面の切り替わりの音など）も記憶される。そして、音声出力部２２は、画面の切り替わりなどの各動作に応じてメモリ２３に記憶された効果音も出力する。また、制御部２６は、効果音を生成したり、効果音を設定したりする効果音生成設定モードの制御や、効果音出力時の制御も行う。以下に、効果音生成設定モードについて説明する。
【００２０】
図２〜図４は、効果音生成設定モードでのＨＤＤ一体型光ディスク装置１０の動作を示すフローチャートである。図２と図３はＡで繋がっており、図２と図４はＢで繋がっている。
【００２１】
まず、リモコン１３やＨＤＤ一体型光ディスク装置１０の操作パネル（不図示）がユーザにより操作され、効果音生成設定モードが選択決定されると、制御部２６は効果音生成設定モードを起動し、ステップＳ１０において、効果音を生成したり設定したりするためのメニュー画面を表示装置１１に表示する。メニュー画面に表示される項目には、「効果音の生成」、「効果音の設定」がある。
【００２２】
ステップＳ１０からステップＳ１１へ進んで、効果音の生成か効果音の設定の何れが選択決定されたかを判別する。ステップＳ１１において効果音の生成が選択決定された場合は、ステップＳ１２へ進んで効果音生成メニュー画面を表示装置１１に表示する。効果音生成メニューは、ＨＤＤやＤＶＤに記録されている番組の一覧を表示し、どの番組から効果音を生成するのか選択を促す。なお、番組の選択に加えてチャプターなど番組内の区切りを階層表示してどの位置から再生するのかを細かく指定できるようにしてもよい。
【００２３】
ステップＳ１２からステップＳ１３へ進んで、ユーザが所望の番組を選択決定したか否かを判別する。ステップＳ１３において番組が選択決定されると、ステップＳ１４へ進んでその番組を再生する。なお、番組の再生は少なくとも音声が再生されればよいが、映像も同時に再生する方が使い勝手がよい。
【００２４】
ステップＳ１４からステップＳ１５へ進んで、番組の再生中に効果音を切り出す開始点が指示されたか否かを判別する。ユーザは番組の再生中に効果音として使いたい場面になるとリモコン１３等を操作して効果音の開始点を指示する。ステップＳ１５で開始点の指示があると、ステップＳ１６へ進んでその位置を開始点としてメモリ２３に一時的に記憶する。
【００２５】
次にステップＳ１６からステップＳ１７へ進んで、番組の再生中に効果音を切り出す終了点が指示されたか否かを判別する。ユーザは開始点の指示と同様にリモコン１３等を操作して終了点を指示する。ステップＳ１７で終了点の指示があると、ステップＳ１８へ進んでその位置を終了点としてメモリ２３に一時的に記憶する。
【００２６】
一方、ステップＳ１７において終了点が指示されない場合は、ステップＳ１９へ進んで開始点から所定時間が経過したか否かを判別する。この所定時間は効果音の最長時間とすればよく、例えば５秒とすることができる。ステップＳ１９において所定時間が経過していなければ再びステップＳ１７に戻り、所定時間が経過していればステップＳ２０へ進む。ステップＳ２０では、一時記憶されている開始点を削除することにより開始点をキャンセルする。ステップＳ２０からはステップＳ１５へ戻り、再び開始点の指示を待つ。
【００２７】
ステップＳ１８からはステップＳ２１へ進んで再生を終了し、ステップＳ２２へ進んでメモリ２３に一時記憶された開始点と終了点に基づいて、開始点から終了点までの音声を切り出す。そして、ステップＳ２３へ進んで切り出した音声を効果音データとしてメモリ２３に記憶する。効果音データには、適宜名称を付けて区別できるようにすればよい。以上で効果音の生成処理を終了する。
【００２８】
なお、記録媒体に記録されている音声を切り出すために、ステップＳ１４において記録媒体を再生しているが、記録媒体に記録されている音声を任意に切り出すことができれば特に再生する必要はない。
【００２９】
次に、ステップＳ１１で効果音の設定が選択決定された場合について説明する。ステップＳ１１からステップＳ３０へ進んで効果音設定メニュー画面を表示装置１１に表示する。効果音設定メニューは、効果音を出力するトリガーとなる動作の一覧を表示し、どの動作に対応する効果音を変更するのか選択を促す。
【００３０】
ステップＳ３０からステップＳ３１へ進んで、ユーザが所望の動作を選択決定したか否かを判別する。ステップＳ３１において動作が選択決定されると、ステップＳ３２へ進んでメモリ２３に記録されている効果音データの一覧を表示し、どの効果音データを設定するのかを促す。なお、効果音データが複数記憶されている場合は、選択された動作に対する効果音の時間として適切な効果音データのみを選択可能にすればよい。
【００３１】
ステップＳ３２からステップＳ３３へ進んで、ユーザが所望の効果音データを選択決定したか否かを判別する。ステップＳ３３において所望の効果音データが選択決定されると、ステップＳ３４へ進んで選択された動作と効果音データとを関連付けるように設定する。以上で効果音の設定処理を終了する。
【００３２】
なお、ステップＳ３０、ステップＳ３１は、複数の動作にそれぞれ効果音を設定できる仕様の場合は必要であるが、全ての動作に同じ効果音が設定される仕様の場合は不要である。
【００３３】
以上のようにして生成、設定された効果音は、各動作時にメモリ２３から動作に対応した効果音データが読み出されて音声出力部２２を通じて出力される。
【００３４】
このように、記録媒体に録画した番組から所望の音声を効果音として切り出して使用することにより、効果音を音質を維持しながら簡単に作製できる。従って、効果音のカスタマイズ性を向上させた商品価値の高いＨＤＤ一体型光ディスク装置１０を実現できる。
【産業上の利用可能性】
【００３５】
本発明は、ビデオカセットレコーダやＤＶＤ等の光ディスク装置やハードディスクレコーダなどの映像音声記録再生装置、又は複数の映像音声記録再生装置を１つの筐体に組み込んだ複合機、例えばハードディスクドライブ一体型光ディスク装置等に利用することができる。
【図面の簡単な説明】
【００３６】
【図１】ＨＤＤ一体型光ディスク装置の構成及びその周辺機器を示すブロック図である。
【図２】効果音生成設定モードでのＨＤＤ一体型光ディスク装置の動作を示すフローチャートである。
【図３】効果音生成設定モードでのＨＤＤ一体型光ディスク装置の動作を示すフローチャートである。
【図４】効果音生成設定モードでのＨＤＤ一体型光ディスク装置の動作を示すフローチャートである。
【符号の説明】
【００３７】
１０    ＨＤＤ一体型光ディスク装置（映像音声記録再生装置）
１５    アンテナ
１６    チューナ
１８    ＨＤＤ記録再生部（記録媒体記録再生部）
１９    ＤＶＤ記録再生部（記録媒体記録再生部）
２２    音声出力部
２３    メモリ
２６    制御部
【図１】
2007266807.tif 000003
【図２】
2007266807.tif 000004
【図３】
2007266807.tif 000005
【図４】
2007266807.tif 000006